(57)【要約】【課題】実装面積を抑えつつ、異常動作時において全ての電源供給装置の負荷に対する電圧の供給を停止可能な電源供給装置、電源供給システム及び電子機器を提供すること。【解決手段】異常時制御部３６ｂ，３６ｃが異常時制御部３６ａから異常報知信号ＳＧ１を入力すると、異常時制御部３６ｂ，３６ｃは、第２異常停止信号ＳＧ４を出力部３７ｂ，３７ｃに出力する。そして、出力部３７ｂ，３７ｃは、第２及び第３負荷２２，２３への第２及び第３出力電圧ＶＯＵＴ２，ＶＯＵＴ３の供給を停止する。また、異常時制御部３６ａ，３６ｃが異常時制御部３６ｂから異常報知信号ＳＧ１を入力する場合、第１及び第３出力電圧ＶＯＵＴ１，ＶＯＵＴ３の供給を停止し、異常時制御部３６ａ，３６ｂが異常時制御部３６ｃから異常報知信号を入力する場合も、同様な動作をする。【選択図】図２
2010011652.tif 000002
【特許請求の範囲】
【請求項１】
負荷に対してそれぞれ対応する動作電圧を供給する電源供給システムを構成する複数の電源供給装置であって、
各電源供給装置には、
前記動作電圧を生成し出力端子から、対応する前記負荷に供給する出力部と、
前記出力端子の端子電圧を検出し、前記端子電圧が予め定めた基準値以下になったとき、前記負荷への前記動作電圧の供給を停止させるための第１異常停止信号を前記出力部に出力する異常検出部と、
前記第１異常停止信号を入力し、他の前記電源供給装置に対して前記出力端子の異常を知らせるための異常報知信号を出力するとともに、前記他の電源供給装置からの前記異常報知信号を入力し前記負荷への動作電圧の供給を停止させるための第２異常停止信号を前記出力部に出力する異常時制御部と
を備えたことを特徴とする電源供給装置。
【請求項２】
前記異常時制御部は、
ゲートが前記第１異常停止信号に基づいた信号を入力し、ソースが低電位側電源電圧を入力し、ドレインが第１抵抗を介して高電位側電源電圧を入力するＮチャネルＭＯＳトランジスタを備え、
前記ＮチャネルＭＯＳトランジスタと前記第１抵抗との間の第１ノードの電圧を前記異常報知信号とすることを特徴とする請求項１に記載の電源供給装置。
【請求項３】
前記異常時制御部は、
ゲートが前記第１異常停止信号に基づいた信号を入力し、ソースが高電位側電源電圧を入力し、ドレインが第２抵抗を介して低電位側電源電圧を入力するＰチャネルＭＯＳトランジスタを備え、
前記ＰチャネルＭＯＳトランジスタと前記第２抵抗との間の第２ノードの電圧を前記異常報知信号とすることを特徴とする請求項１に記載の電源供給装置。
【請求項４】
複数の電源供給装置がそれぞれ対応する負荷に対して動作電圧を供給する電源供給システムであって、
各電源供給装置には、
前記動作電圧を生成し出力端子から、対応する前記負荷に供給する出力部と、
前記出力端子の端子電圧を検出し、前記端子電圧が予め定めた基準値以下になったとき、前記負荷への前記動作電圧の供給を停止させるための第１異常停止信号を前記出力部に出力する異常検出部と、
前記第１異常停止信号を入力し、他の前記電源供給装置に対して前記出力端子の異常を知らせるための異常報知信号を出力するとともに、前記他の電源供給装置からの前記異常報知信号を入力し前記負荷への動作電圧の供給を停止させるための第２異常停止信号を前記出力部に出力する異常時制御部と
を備えたことを特徴とする電源供給システム。
【請求項５】
負荷及び複数の電源供給装置がそれぞれ対応する負荷に対して動作電圧を供給する電源供給システムから構成される電子機器であって、
各電源供給装置には、
前記動作電圧を生成し出力端子から、対応する前記負荷に供給する出力部と、
前記出力端子の端子電圧を検出し、前記端子電圧が予め定めた基準値以下になったとき、前記負荷への前記動作電圧の供給を停止させるための第１異常停止信号を前記出力部に出力する異常検出部と、
前記第１異常停止信号を入力し、他の前記電源供給装置に対して前記出力端子の異常を知らせるための異常報知信号を出力するとともに、前記他の電源供給装置からの前記異常報知信号を入力し前記負荷への動作電圧の供給を停止させるための第２異常停止信号を前記出力部に出力する異常時制御部と
を備えたことを特徴とする電子機器。
【発明の詳細な説明】
【技術分野】
【０００１】
電源供給装置、電源供給システム及び電子機器に関するものである。
【背景技術】
【０００２】
従来、電子機器は、それぞれ特定の処理機能を有する複数の回路部及び半導体デバイスから構成されている。電子機器中の各回路部及び各半導体デバイスには、それぞれの機能により電源電圧が異なる場合がある。
【０００３】
このため、この種の電子機器には、これら各回路部及び半導体デバイス（以下、負荷という）に対してそれぞれ異なる動作電源を供給する電源供給システムが備えられている。電源供給システムは、複数の電源供給装置から構成され、各電源供給装置はそれぞれ異なる電圧値の動作電源を生成し対応する負荷に供給している。
【０００４】
各電源供給装置は、対応する負荷に供給する動作電圧の電圧値が一定となるように制御する制御回路を備えている。
また、各電源供給装置は、出力端子において過電流、過電圧又は短絡などの異常（以下、出力異常という）が生じることによって発煙、発火又は損傷しないために、出力端子において出力異常を検出している。そして、各電源供給装置は、出力端子において出力異常を検出すると、対応する負荷への動作電源の供給を停止していた。
【０００５】
さらに、電源供給システムの仕様によっては、１つの電源供給装置で出力異常を検出した場合、他の電源供給装置も対応する負荷への動作電源供給を停止させるものもあった。
しかし、電源供給システムのうち、各電源供給装置の動作順序を制御するコントローラを備えないものは、１つの電源供給装置が出力異常を検出しても、他の電源供給装置も合せて動作電源の供給の停止ができないという問題があった。
【０００６】
コントローラを備えない電源供給システムについて図６に従って説明する。
図６に示すように、コントローラを備えない電源供給システム１００は、第１〜第３電源供給装置１０１〜１０３を備えている。第１〜第３電源供給装置１０１〜１０３は、それぞれ対応する第１〜第３負荷１１１〜１１３に接続され、それぞれ対応する第１〜第３負荷１１１〜１１３に対して第１〜第３出力電圧ＶＯＵＴ１〜ＶＯＵＴ３をそれぞれ出力する。又、第１〜第３電源供給装置１０１〜１０３は、それぞれ対応する第１〜第３外部電源１２１〜１２３に接続され、第１〜第３外部電源１２１〜１２３から供給される外部電源電圧に基づいて、それぞれ第１〜第３出力電圧ＶＯＵＴ１〜ＶＯＵＴ３を出力する。
【０００７】
また、第１電源供給装置１０１は、第２及び第３電源供給装置１０２，１０３に、第２及び第３出力電圧ＶＯＵＴ２，ＶＯＵＴ３の供給・停止を指令する制御信号ＳＧ１１を出力するようになっている。例えば、制御信号ＳＧ１１は、第１電源供給装置１０１の出力端子において第１出力電圧ＶＯＵＴ１が所定の動作電圧値を供給している場合（以下、正常動作時という）にＨレベルの信号（許可信号ＳＧ１１ａ）、第１電源供給装置１０１の出力端子において第１出力電圧ＶＯＵＴ１を供給していない又は第１出力電圧ＶＯＵＴ１が異常の場合（以下、異常動作時という）にＬレベルの信号（停止信号ＳＧ１１ｂ）を出力する。
【０００８】
このような電源供給システム１００は以下のように動作する。
第１電源供給装置１０１は、第１外部電源１２１から外部電源電圧が供給されると、第１出力電圧ＶＯＵＴ１を生成し、その生成した第１出力電圧ＶＯＵＴ１を第１負荷１１１に供給し、それとともに、Ｈレベルの許可信号ＳＧ１１ａを第２及び第３電源供給装置１０２，１０３に供給する。許可信号ＳＧ１１ａを入力すると、第２及び第３電源供給装置１０２，１０３は、それぞれ第２及び第３負荷１１２，１１３に第２及び第３出力電圧ＶＯＵＴ２，ＶＯＵＴ３を供給する。
【０００９】
一方、第１電源供給装置１０１の異常動作時において、第１電源供給装置１０１は第１出力電圧ＶＯＵＴ１の供給を停止するとともに、第２及び第３電源供給装置１０２，１０３にＬレベルの停止信号ＳＧ１１ｂを出力する。停止信号ＳＧ１１ｂを入力すると、第２及び第３電源供給装置１０２，１０３はそれぞれ第２及び第３出力電圧ＶＯＵＴ２，ＶＯＵＴ３の供給を停止する。
【００１０】
ところで、第２電源供給装置１０２が異常動作を起こした時、第２電源供給装置１０２は第１及び第３電源供給装置１０１，１０３に停止信号ＳＧ１１ｂを出力できない。従って、第２電源供給装置１０２は第２出力電圧ＶＯＵＴ２の供給を停止することができるが、第１及び第３電源供給装置１０１，１０３からの第１及び第３出力電圧ＶＯＵＴ１，ＶＯＵＴ３の出力を停止させることができない。
【００１１】
第２電源供給装置１０２と同様に、第３電源供給装置１０３においても、第１及び第２電源供給装置１０１，１０２に停止信号ＳＧ１１ｂを出力できない。このため、第３電源供給装置１０３は第３出力電圧ＶＯＵＴ３の出力を停止することができるが、第１及び第２電源供給装置１０１，１０２からの第１及び第２出力電圧ＶＯＵＴ１，ＶＯＵＴ２の出力を停止させることができない。
【００１２】
つまり、上記のコントローラを備えない電源供給システム１００は、第２及び第３電源供給装置１０２，１０３から他の第１〜第３電源供給装置１０１〜１０３に停止信号ＳＧ１１ｂを出力することができない。このため、第２及び第３電源供給装置１０２，１０３の異常動作時において、自身が生成した出力電圧を除いて他の電源供給装置が生成した出力電圧の出力を停止することができない。
【００１３】
そこで、１つの電源供給装置の異常動作時において、全ての電源供給装置の出力電圧の出力を停止するために、第１〜第３電源供給装置１０１〜１０３の動作を制御するコントローラが備えられていた電源供給システムが提案されている（例えば、特許文献１参照）。このコントローラを備えた電源供給システムについて図７を用いて説明する。尚、コントローラを備えていない電源供給システムと同じ構成について符号を同じにしてその説明を省略する。
【００１４】
図７において示すように、コントローラを備えた電源供給システム１３０は、第１〜第３電源供給装置１０１〜１０３とコントローラ１３１を備えている。コントローラ１３１は、第１〜第３電源供給装置１０１〜１０３の各制御端子１３２〜１３４と各異常時端子１３５〜１３７に接続されている。コントローラ１３１は、各制御端子１３２〜１３４に対して第１〜第３電源供給装置１０１〜１０３の動作を制御する制御信号ＳＧ１２〜ＳＧ１４を出力し、第１〜第３電源供給装置１０１〜１０３の動作を制御している。例えば、第１〜第３電源供給装置１０１〜１０３を動作させる場合にＨレベルの制御信号ＳＧ１２〜ＳＧ１４を出力し、第１〜第３電源供給装置１０１〜１０３を動作させない場合にＬレベルの制御信号ＳＧ１２〜ＳＧ１４を出力する。
【００１５】
一方、第１電源供給装置１０１の異常動作時において、第１電源供給装置１０１は、異常時端子１３５からコントローラ１３１にＬレベルの停止信号ＳＧ１５を出力する。Ｌレベルの停止信号ＳＧ１５を入力すると、コントローラ１３１は第１〜第３電源供給装置１０１〜１０３の制御端子１３２〜１３４にＬレベルの制御信号ＳＧ１２〜ＳＧ１４を出力する。そして、Ｌレベルの制御信号ＳＧ１２〜ＳＧ１４を入力すると、第１〜第３電源供給装置１０１〜１０３はそれぞれ第１〜第３出力電圧ＶＯＵＴ１〜ＶＯＵＴ３の供給を停止させる。また、第１電源供給装置１０１と同様に、第２及び第３電源供給装置１０２，１０３の異常動作時においても、第１〜第３電源供給装置１０１〜１０３はそれぞれ第１〜第３出力電圧ＶＯＵＴ１〜ＶＯＵＴ３の出力を停止させる。
【特許文献１】特開２００５−３２７２４１号公報
【発明の開示】
【発明が解決しようとする課題】
【００１６】
ところで、近年、電源供給システムが搭載される電子機器は小型化されている。これに伴い、電源供給システムが実装されるプリント基板も小型化されるため、電源供給システムの実装面積を縮小することが要求されている。しかし、複数の電源供給装置を有した電源供給システムにおいて、１つの電源供給装置が異常動作した場合、全ての電源供給装置について出力電圧の出力を停止するためには、電源供給システムにコントローラが必要になる。従って、電源供給システムの実装面積は、コントローラが搭載される半導体装置の実装面積の分が増大してしまう。
【００１７】
この電源供給装置、電源供給システム及び電子機器は、実装面積を抑えつつ、異常動作時において全ての電源供給装置の負荷に対する電源電圧の供給を停止可能にすることを目的とする。
【課題を解決するための手段】
【００１８】
この電源供給装置は、前記動作電圧を生成し出力端子から、対応する前記負荷に供給する出力部と、前記出力端子の端子電圧を検出し、前記端子電圧が予め定めた基準値以下になったとき、前記負荷への前記動作電圧の供給を停止させるための第１異常停止信号を前記出力部に出力する異常検出部と、前記第１異常停止信号を入力し、他の前記電源供給装置に対して前記出力端子の異常を知らせるための異常報知信号を出力するとともに、前記他の電源供給装置からの前記異常報知信号を入力し前記負荷への動作電圧の供給を停止させるための第２異常停止信号を前記出力部に出力する異常時制御部とを備える。
【００１９】
この構成によれば、電源供給装置は、出力端子における異常を検出すると自身の動作電圧の供給を停止するとともに、他の電源供給装置の異常時制御部に異常報知信号を出力する。そして、他の電源供給装置は、この異常報知信号に基づいて動作電圧の供給を停止する。つまり、一つの電源供給装置において出力端子で異常が発生すると、他の全ての電源供給装置が動作電圧の供給を停止する。
【発明の効果】
【００２０】
開示した電源供給装置、電源供給システム及び電子機器は、実装面積を抑えつつ、異常動作時において全ての電源供給装置の負荷に対する電源電圧の供給を停止可能にするという効果を奏する。
【発明を実施するための最良の形態】
【００２１】
（第一実施形態）
以下、一実施形態を図１〜図５に従って説明する。
図１に示すように、電源供給システム１０は、第１〜第３電源供給装置１１〜１３を備えている。この第１〜第３電源供給装置１１〜１３は、電源端子Ｐ１〜Ｐ３、制御端子Ｐ４〜Ｐ６、出力端子Ｐ７〜Ｐ９、及び異常時端子Ｐ１０〜Ｐ１２をそれぞれ備えている。
【００２２】
ここで、電源端子Ｐ１〜Ｐ３は電源電圧を供給する端子、制御端子Ｐ４〜Ｐ６は第１〜第３電源供給装置１１〜１３の動作を制御する端子、出力端子Ｐ７〜Ｐ９は外部に生成した電圧を供給する端子、及び異常時端子Ｐ１０〜Ｐ１２は第１〜第３電源供給装置１１〜１３の出力端子Ｐ７〜Ｐ９における出力異常を知らせる異常報知信号ＳＧ１を入出力する端子である。
【００２３】
また、第１〜第３電源供給装置１１〜１３は、第１〜第３負荷２１〜２３及び第１〜第３外部電源３１〜３３（例えば、ＡＣアダプタ）にそれぞれ接続されている。
第１電源供給装置１１は、電源端子Ｐ１を介して第１外部電源３１から第１電源電圧ＶＩＮ１が供給される。第１電源供給装置１１は、第１外部電源３１から供給された第１電源電圧ＶＩＮ１に基づいて、予め設定された電圧の第１出力電圧ＶＯＵＴ１を生成するとともに第１出力電圧ＶＯＵＴ１を安定に保持するように制御する。また、第１電源供給装置１１は、同じく第１外部電源３１からの第１電源電圧ＶＩＮ１を、制御端子Ｐ４に、第１電源供給装置１１を動作又は停止させるための制御信号Ｓ１として入力する。
【００２４】
この実施形態では、第１電源供給装置１１は、制御端子Ｐ４にＨレベルの制御信号Ｓ１（駆動信号Ｓ１ａ）を入力すると動作し、制御端子Ｐ４にＬレベルの制御信号Ｓ１（駆動停止信号Ｓ１ｂ）を入力すると停止する。つまり、第１電源供給装置１１は、第１外部電源３１から第１電源電圧ＶＩＮ１を供給されると動作し、第１外部電源３１から第１電源電圧ＶＩＮ１を供給されないと停止する。
【００２５】
また、第１電源供給装置１１は、第１出力電圧ＶＯＵＴ１を第１負荷に出力する。第１負荷２１は、第１電源供給装置１１から供給される第１出力電圧ＶＯＵＴ１を電源電圧として動作する。
【００２６】
また、第１電源供給装置１１は、異常時端子Ｐ１０を第２及び第３電源供給装置１２，１３の異常時端子Ｐ１１，Ｐ１２に接続され、この異常時端子Ｐ１０〜Ｐ１２の間で異常報知信号ＳＧ１を入出力する。
【００２７】
第２及び第３電源供給装置１２，１３は、第１電源供給装置１１と同様に構成されている。
第２電源供給装置１２は、電源端子Ｐ２を介して第２外部電源３２から第２電源電圧ＶＩＮ２が供給される。第２電源供給装置１２は、第２外部電源３２から供給された第２電源電圧ＶＩＮ２に基づいて、予め設定された電圧の第２出力電圧ＶＯＵＴ２を生成するとともに第２出力電圧ＶＯＵＴ２を安定に保持するように制御する。
【００２８】
また、第２電源供給装置１２は、同じく第２外部電源３２からの第２電源電圧ＶＩＮ２を、制御端子Ｐ５に、第２電源供給装置１２を動作又は停止させる制御信号Ｓ１（駆動信号Ｓ１ａ又は駆動停止信号Ｓ１ｂ）として入力する。
【００２９】
この実施形態では、第２電源供給装置１２は、制御端子Ｐ５にＨレベルの制御信号Ｓ１（駆動信号Ｓ１ａ）を入力すると動作し、制御端子Ｐ５にＬレベルの制御信号Ｓ１（駆動停止信号Ｓ１ｂ）を入力すると停止する。つまり、第２電源供給装置１２は、第２外部電源３２から第２電源電圧ＶＩＮ２を供給されると動作し、第２外部電源３２から第２電源電圧ＶＩＮ２を供給されないと停止する。
【００３０】
また、第２電源供給装置１２は、第２出力電圧ＶＯＵＴ２を第２負荷２２に供給する。第２負荷２２は、第２電源供給装置１２から供給された第２出力電圧ＶＯＵＴ２を電源電圧として動作する。
【００３１】
第３電源供給装置１３は、電源端子Ｐ３を介して第３外部電源３３から第３電源電圧ＶＩＮ３が供給される。第３電源供給装置１３は、第３外部電源３３から供給された第３電源電圧ＶＩＮ３に基づいて、予め設定された電圧の第３出力電圧ＶＯＵＴ３を生成するとともに第３出力電圧ＶＯＵＴ３を安定に保持するように制御する。
【００３２】
また、第３電源供給装置１３は、同じく第３外部電源３３からの第３電源電圧ＶＩＮ３を、制御端子Ｐ６に、第３電源供給装置１３を動作又は停止させる制御信号Ｓ１（駆動信号Ｓ１ａ又は駆動停止信号Ｓ１ｂ）として入力する。
【００３３】
この実施形態では、第３電源供給装置１３は、制御端子Ｐ６にＨレベルの制御信号Ｓ１（駆動信号Ｓ１ａ）を入力すると動作し、制御端子Ｐ６にＬレベルの制御信号Ｓ１（駆動停止信号Ｓ１ｂ）を入力すると停止する。つまり、第３電源供給装置１３は、第３外部電源３３から第３電源電圧ＶＩＮ３を供給されると動作し、第３外部電源３３から第３電源電圧ＶＩＮ３を供給されないと停止する。また、第３電源供給装置１３は、第３出力電圧ＶＯＵＴ３を第３負荷２３に供給する。第３負荷２３は、第３電源供給装置１３から供給された第３出力電圧ＶＯＵＴ３を電源電圧として動作する。
【００３４】
従って、このような電源供給システム１０では、第１〜第３電源供給装置１１〜１３のうち、一つの電源供給装置の異常動作時において、この一つの電源供給装置は、他の電源供給装置に異常報知信号ＳＧ１を出力する。つまり、第１〜第３電源供給装置１１〜１３は、どの電源供給装置の異常動作時においても、第１〜第３電源供給装置１１〜１３の動作を停止することができる。
【００３５】
次に、第１〜第３電源供給装置１１〜１３の詳細について図２に従って説明する。
図２に示すように、第１電源供給装置１１は、制御部３４ａ、異常検出部３５ａ、異常時制御部３６ａ及び出力部３７ａを備えている。
【００３６】
制御部３４ａは、第１外部電源３１から制御端子Ｐ４を介して制御信号Ｓ１（駆動信号Ｓ１ａ又は駆動停止信号Ｓ１ｂ）として第１電源電圧ＶＩＮ１が入力されるようになっている。制御部３４ａは、第１外部電源３１からの第１電源電圧ＶＩＮ１の供給の有無に基づいた制御信号ＳＧ２（許可信号ＳＧ２ａ又は停止信号ＳＧ２ｂ）を異常検出部３５ａ、異常時制御部３６ａ及び出力部３７ａに出力する。
【００３７】
制御部３４ａは第１電源電圧ＶＩＮ１が供給されると、異常検出部３５ａ、異常時制御部３６ａ及び出力部３７ａを動作させる制御信号ＳＧ２（本実施形態ではＨレベルの許可信号ＳＧ２ａ）が出力する。一方、第１電源電圧ＶＩＮ１が供給されないと、制御部３４ａは異常検出部３５ａ、異常時制御部３６ａ及び出力部３７ａを停止させる制御信号ＳＧ２（本実施形態ではＬレベルの停止信号ＳＧ２ｂ）を出力する。
【００３８】
異常検出部３５ａは、出力端子Ｐ７の出力異常の端子電圧を入力して出力異常の有無を検出する回路部であって、制御部３４ａからの制御信号ＳＧ２が許可信号ＳＧ２ａの時、出力端子Ｐ７の出力異常の検出動作を実行し、制御部３４ａからの制御信号ＳＧ２が停止信号ＳＧ２ｂの時、前記検出動作を停止する。ここで、出力端子Ｐ７の出力異常とは、出力端子Ｐ７に何らかの原因で、導電体が触れて短絡し、出力端子Ｐ７の端子電圧が、出力部３７ａから第１負荷２１に出力される第１出力電圧ＶＯＵＴ１にならないで、予め設定された電圧値（例えば、第１負荷２１が駆動するのに必要な電圧値）以下になることをいう。そして、これら出力異常は、異常が解消されると（例えば導電体が自然に外れて短絡が解消されると）、出力端子Ｐ７の端子電圧は、出力部３７ａから第１負荷２１に出力される第１出力電圧ＶＯＵＴ１に復帰する。
【００３９】
そして、異常検出部３５ａは、出力端子Ｐ７の出力異常を検出すると、異常時制御部３６ａ及び出力部３７ａにそれぞれ第１異常停止信号ＳＧ３を出力する。詳しくは、出力異常を検出すると、異常検出部３５ａは、異常時制御部３６ａ及び出力部３７ａにＨレベルの第１異常停止信号ＳＧ３を出力する。一方、出力異常を検出しないと、異常検出部３５ａは、異常時制御部３６ａ及び出力部３７ａに第１異常停止信号ＳＧ３を出力しない。
【００４０】
異常時制御部３６ａは、他の電源供給装置（この場合、第２及び第３電源装置１２，１３）に自身（この場合は第１電源供給装置１１）の出力異常の有無を知らせる異常報知信号ＳＧ１の生成、及び、他の電源供給装置からの異常報知信号ＳＧ１を入力し他の電源供給装置の異常を検出する回路である。
【００４１】
異常時制御部３６ａは、制御部３４ａから入力した制御信号ＳＧ２が許可信号ＳＧ２ａの時動作する。そして、異常時制御部３６ａは、異常検出部３５ａから第１異常停止信号ＳＧ３が出力されると、異常報知信号ＳＧ１を生成し、端子Ｐ１０を介して第２及び第３電源供給装置１２，１３の異常時制御部３６ｂ，３６ｃに出力するようになっている。
【００４２】
さらに、異常時制御部３６ａは、第２及び第３電源供給装置１２，１３からの異常報知信号ＳＧ１を、端子Ｐ１０を介して入力すると、Ｌレベルの第２異常停止信号ＳＧ４を生成し出力部３７ａに出力する。
【００４３】
出力部３７ａは、制御部３４ａから制御信号ＳＧ２（許可信号ＳＧ２ａ又は停止信号ＳＧ２ｂ）、異常検出部３５ａから第１異常停止信号ＳＧ３、異常時制御部３３ａから第２異常停止信号ＳＧ４を入力する。
【００４４】
出力部３７ａは、制御部３４ａから出力している制御信号ＳＧ２が許可信号ＳＧ２ａであって、異常検出部３５ａ及び異常時制御部３６ａから第１異常停止信号ＳＧ３及び第２異常停止信号ＳＧ４が出力されていない時、第１出力電圧ＶＯＵＴ１を第１負荷２１に供給する。
【００４５】
また、出力部３７ａは、異常検出部３５ａから第１異常停止信号ＳＧ３が出力された時、即ち、異常検出部３５ａが出力異常を検出した時、第１負荷２１への第１出力電圧ＶＯＵＴ１を供給しない。
【００４６】
さらに、出力部３７ａは、異常時制御部３６ａから第２異常時停止信号ＳＧ４が出力された時、即ち、第２又は第３電源供給装置１２，１３から異常報知信号ＳＧ１が出力された時、第１負荷２１への第１出力電圧ＶＯＵＴ１を供給しない。
【００４７】
第２及び第３電源供給装置１２，１３は、第１電源供給装置１１を構成する制御部３４ａ、異常検出部３５ａ、異常時制御部３６ａ及び出力部３７ａが同様に構成されている。
因みに、第２電源供給装置１２は、制御部３４ｂ、異常検出部３５ｂ、異常時制御部３６ｂ及び出力部３７ｂを備えている。又、第３電源供給装置１３は、制御部３４ｃ、異常検出部３５ｃ、異常時制御部３６ｃ及び出力部３７ｃを備えている。そして、各制御部３４ｂ，３４ｃ、異常検出部３５ｂ，３５ｃ、異常時制御部３６ｂ，３６ｃ及び出力部３７ｂ，３７ｃは、それぞれ第１電源供給装置１１の制御部３４ａ、異常検出部３５ａ、異常時制御部３６ａ及び出力部３７ａと同様な動作を行うようになっている。
【００４８】
従って、第２電源供給装置１２は、自身に出力異常が生じた時、第２負荷２２への第２出力電圧ＶＯＵＴ２を供給しないとともに、第１及び第３電源供給装置１１，１３に異常報知信号ＳＧ１を出力する。さらに、第２電源供給装置１２は、第１及び第３電源供給装置１１，１３から異常報知信号ＳＧ１を入力した時、第２負荷２２への第２出力電圧ＶＯＵＴ２を供給しない。
【００４９】
同様に、第３電源供給装置１３は、自身に出力異常が生じた時、第３負荷２３への第３出力電圧ＶＯＵＴ３を供給しないとともに、第１及び第２電源供給装置１１，１２に異常報知信号ＳＧ１を出力する。さらに、第３電源供給装置１３は、第１及び第２電源供給装置１１，１２から異常報知信号ＳＧ１を入力した時、第３負荷２３への第３出力電圧ＶＯＵＴ３を供給しない。
【００５０】
次に、このような電源供給システム１０において、第１電源供給装置１１の出力端子Ｐ７が短絡され、出力異常が発生した場合の動作について図３に従って説明する。
まず、制御端子Ｐ４〜６にＬレベルの制御信号Ｓ１（駆動停止信号Ｓ１ｂ）が入力されている場合について説明する。
【００５１】
第１〜第３電源供給装置１１〜１３にそれぞれ第１〜第３外部電源３１〜３３から第１〜第３電源電圧ＶＩＮ１〜ＶＩＮ３が未供給のため、第１〜第３電源供給装置１１〜１３は停止している。従って、第１〜第３出力電圧ＶＯＵＴ１〜ＶＯＵＴ３は生成されず、各負荷２１〜２３に供給されない。
【００５２】
そして、時刻ｔ１から制御端子Ｐ４〜Ｐ６にＨレベルの制御信号Ｓ１（駆動信号Ｓ１ａ）が入力されると、つまり、第１〜第３外部電源３１〜３３から第１〜第３電源電圧ＶＩＮ１〜ＶＩＮ３がそれぞれ供給されると、各制御部３４ａ〜３４ｃは対応する異常検出部３５ａ〜３５ｃ、異常時制御部３６ａ〜３６ｃ及び出力部３７ａ〜３７ｃに動作させるＨレベルの制御信号ＳＧ２（許可信号ＳＧ２ａ）を出力する。
【００５３】
この動作させるＨレベルの制御信号ＳＧ２（許可信号ＳＧ２ａ）が入力されると、第１〜第３電源供給装置１１〜１３の出力部３７ａ〜３７ｃは、この許可信号ＳＧ２ａに基づいてそれぞれ第１〜第３出力電圧ＶＯＵＴ１〜ＶＯＵＴ３を所定の傾きで予め設定された電圧まで立ち上げる。以後、第１〜第３負荷２１〜２３は、それぞれ対応する第１〜第３電源供給装置１１〜１３からの第１〜第３出力電圧ＶＯＵＴ１〜ＶＯＵＴ３が供給されて動作を開始することになる。
【００５４】
やがて、時刻ｔ２において、第１電源供給装置１１の出力端子Ｐ７が短絡して出力異常が発生すると、第１出力電圧ＶＯＵＴ１は短絡しているためグランドレベルになる。この時、異常検出部３５ａは第１出力電圧ＶＯＵＴ１のレベルダウンを検知し出力端子Ｐ７の出力異常を判断して、異常時制御部３６ａ及び出力部３７ａにそれぞれ第１異常停止信号ＳＧ３を出力する。
【００５５】
出力部３７ａは、第１異常停止信号ＳＧ３に応答して、第１負荷２１への第１出力電圧ＶＯＵＴ１の供給を停止する。
一方、異常時制御部３６ａは、第１異常停止信号ＳＧ３に応答して、異常報知信号ＳＧ１を生成し、第２及び第３電源供給装置１２，１３の異常時制御部３６ｂ，３６ｃに出力する。
【００５６】
第２及び第３電源供給装置１２，１３の異常時制御部３６ｂ，３６ｃは、第１電源供給装置１１からの異常報知信号ＳＧ１に応答して、それぞれの出力部３７ｂ，３７ｃに第２異常停止信号ＳＧ４を出力する。
【００５７】
そして、第２電源供給装置１２の出力部３７ｂは、第２異常停止信号ＳＧ４に応答して、第２負荷２２への第２出力電圧ＶＯＵＴ２の供給を停止する。また、第３電源供給装置１３の出力部３７ｃは、第２異常停止信号ＳＧ４に応答して、第３負荷２３への第３出力電圧ＶＯＵＴ３の供給を停止する。
【００５８】
従って、第１電源供給装置１１に出力異常が発生すると、第１電源供給装置１１により第１負荷２１への第１出力電圧ＶＯＵＴ１の供給を停止するとともに第２及び第３電源供給装置１２，１３による第２及び第３負荷２２，２３への第２及び第３出力電圧ＶＯＵＴ２，ＶＯＵＴ３の供給を停止する。
【００５９】
そして、時刻ｔ３において、第１電源供給装置１１の出力端子Ｐ７の短絡が解消すると、出力端子Ｐ７の端子電圧は第１出力電圧ＶＯＵＴ１に復帰する。出力端子Ｐ７の端子電圧が第１出力電圧ＶＯＵＴ１に復帰すると、異常検出部３５ａは、出力部３７ａに出力していた第１異常停止信号ＳＧ３を消失させる。第１異常停止信号ＳＧ３の消失に応答して、出力部３７ａは第１出力電圧ＶＯＵＴ１を生成し第１負荷２１に供給する。
【００６０】
一方、異常時制御部３６ａは、第１異常停止信号ＳＧ３の消失に基づいて、第２及び第３電源供給装置１２，１３の異常時制御部３６ｂ，３６ｃへ出力していた異常報知信号ＳＧ１を消失させる。
【００６１】
第２及び第３電源供給装置１２，１３の異常時制御部３６ｂ，３６ｃは、異常報知信号ＳＧ１の消失に応答して、それぞれの出力部３７ｂ，３７ｃへ出力していた第２異常停止信号ＳＧ４を消失する。
【００６２】
従って、第２電源供給装置１２の出力部３７ｂは、再び第２負荷２２への第２出力電圧ＶＯＵＴ２の供給を開始する。また、第３電源供給装置１３の出力部３７ｃも、再び第３負荷２３への第３出力電圧ＶＯＵＴ３の供給を開始する。
【００６３】
つまり、第１電源供給装置１１の出力異常が解消すると、第１電源供給装置１１による第１負荷２１への第１出力電圧ＶＯＵＴ１の供給が再開されるとともに、第２及び第３電源供給装置１２，１３による第２及び第３負荷２２，２３への第２及び第３出力電圧ＶＯＵＴ２，ＶＯＵＴ３の供給も再開される。
【００６４】
次に、第１〜第３電源供給装置１１〜１３の異常時制御部３６ａ〜３６ｃの詳細を図４に従って説明する。各異常時制御部３６ａ〜３６ｃは、実質同じ構成なので、説明の便宜上第１電源供給装置１１の異常時制御部３６ａについて説明し、第２及び第３電源供給装置１２，１３の異常時制御部３６ｂ，３６ｃについてはその説明を省略する。
【００６５】
図４に示すように、異常時制御部３６ａは、第１インバータ回路ＩＮＶ１と第２インバータ回路ＩＮＶ２、第1抵抗として抵抗Ｒ１、ＮチャネルＭＯＳトランジスタＴ１及びコンパレータ回路４２を備えている。
【００６６】
第１及び第２インバータ回路ＩＮＶ１，ＩＮＶ２の電源端子は、それぞれ高電位側電源電圧ＶＤＤと低電位電源電圧（本実施形態ではグランド）に接続されている。
第１インバータ回路ＩＮＶ１は、異常検出部３５ａからＨレベルの第１異常停止信号ＳＧ３が入力されるようになっている。第１インバータ回路ＩＮＶ１は、Ｈレベルの第１異常停止信号ＳＧ３を入力すると、該第１異常停止信号ＳＧ３を第２インバータ回路ＩＮＶ２を介してＮチャネルＭＯＳトランジスタＴ１のゲート端子に出力する。
【００６７】
ＮチャネルＭＯＳトランジスタＴ１は、ソースがグランドに接続され、ドレインが抵抗Ｒ１を介して高電位側電源電圧ＶＤＤ２（本実施形態では１Ｖ）に接続されている。また、ＮチャネルＭＯＳトランジスタＴ１のドレインと抵抗Ｒ１の間の第１ノードＮ１は、コンパレータ回路４２のマイナス側入力端子に接続されているとともに、異常時端子Ｐ１０に接続されている。
【００６８】
そして、ＮチャネルＭＯＳトランジスタＴ１のゲートにＨレベルの第１異常停止信号ＳＧ３が入力されると、ＮチャネルＭＯＳトランジスタＴ１はオンし、第１ノードＮ１の電位を、高電位側電源電圧ＶＤＤ２（Ｈレベル）からグランドレベル（Ｌレベル）に下げる。グランドレベル（Ｌレベル）に下げられた第１ノードＮ１の電位が、異常報知信号ＳＧ１として第２及び第３電源供給装置１２，１３に出力される。
【００６９】
一方、第１ノードＮ１は、コンパレータ回路４２のマイナス側入力端子に接続されている。コンパレータ回路４２は、プラス側入力端子に基準電圧Ｖｒｅｆ１（本実施形態では０．５Ｖ）が入力される。
【００７０】
そして、コンパレータ回路４２は、第１ノードＮ１の電位と基準電圧Ｖｒｅｆ１（本実施形態では０．５Ｖ）とを比較し、第１ノードＮ１の電位基準電圧Ｖｒｅｆ１（本実施形態では０．５Ｖ）以下に下がった時、Ｈレベルの第２異常停止信号ＳＧ４を出力部３７ａに出力する。
【００７１】
従って、異常時制御部３６ａは、第1異常停止信号ＳＧ３が入力されると、異常報知信号ＳＧ１及び第２異常停止信号ＳＧ４が生成され出力される。
一方、第２及び第３電源供給装置１２，１３からＬレベルの異常報知信号ＳＧ１が異常時制御部３６ａに入力されると、コンパレータ回路４２は、Ｌレベルの異常報知信号ＳＧ１と基準電圧Ｖｒｅｆ１とを比較し、Ｈレベルの第２異常停止信号ＳＧ４を出力部３７ａに出力する。従って、異常時制御部３６ａは、第２及び第３電源供給装置１２，１３から異常報知信号ＳＧ１が入力されると、第２異常停止信号ＳＧ４が生成される出力部３７ａに出力する。
【００７２】
以上記述したように、本実施の形態によれば、以下の効果を奏する。
（１）本実施形態によれば、異常時制御部３６ｂ，３６ｃが異常時制御部３６ａから異常報知信号ＳＧ１を入力すると、異常時制御部３６ｂ，３６ｃは、第２異常停止信号ＳＧ４を対応する出力部３７ｂ，３７ｃに出力する。それに伴い、出力部３７ｂ，３７ｃは、第２及び第３出力電圧ＶＯＵＴ２，ＶＯＵＴ３の供給を停止する。同様に、異常時制御部３６ａ，３６ｃが異常時制御部３６ｂから異常報知信号ＳＧ１を入力すると、異常時制御部３６ａ，３６ｃは、第２異常停止信号ＳＧ４を対応する出力部３７ａ，３７ｃに出力する。それに伴い、出力部３７ａ，３７ｃは、第１及び第３出力電圧ＶＯＵＴ１，ＶＯＵＴ３の供給を停止する。また、異常時制御部３６ａ，３６ｂが異常時制御部３６ｃから異常報知信号ＳＧ１を入力すると、異常時制御部３６ａ，３６ｂは、第２異常停止信号ＳＧ４を対応する出力部３７ａ，３７ｂに出力する。それに伴い、出力部３７ａ，３７ｂは、第１及び第２出力電圧ＶＯＵＴ１，ＶＯＵＴ２の供給を停止する。
【００７３】
そのため、第１〜第３電源供給装置１１〜１３は、出力端子Ｐ７〜Ｐ９における異常を検出すると自身の動作電圧の供給を停止するとともに、他の電源供給装置の異常時制御部に異常報知信号ＳＧ１を出力する。そして、他の電源供給装置は、この異常報知信号に基づいて動作電圧の供給を停止する。つまり、一つの電源供給装置において出力端子で異常が発生すると、他の全ての電源供給装置が動作電圧の供給を停止する。
【００７４】
（２）本実施形態によれば、異常制御部３６ａは、ゲートが第1異常停止信号ＳＧ３を入力し、ソースが高電位側電源電圧ＶＤＤを入力し、ドレインが抵抗Ｒ１を介して高電位側電源電圧ＶＤＤ２を入力するＮチャネルＭＯＳトランジスタＴ１を備え、ＮチャネルＭＯＳトランジスタＴ１と抵抗Ｒ１との間の第１ノードＮ１の電圧を異常報知信号ＳＧ１とするという構成になっている。
【００７５】
そのため、異常時制御部３６ａの素子が少なく構成され、電源供給装置が搭載される半導体装置の面積が小さくなるため、実装面積を小さくすることが可能となる。
尚、上記各実施の形態は、以下の態様で実施してもよい。
【００７６】
・上記実施形態において、異常時制御部３６ａは、図４に示すような構成となっていたが、図５に示すような電流制御回路４４がＰチャネルＭＯＳトランジスタＴ２のドレイン電流を制御して異常報知信号ＳＧ１を制御する構成にしてもよい。
【００７７】
以下に、図５に示す異常時制御部３６ａについて説明する。
異常時制御部３６ａは、第３及び第４インバータ回路ＩＮＶ３，ＩＮＶ４、電流制御回路４４、ＰチャネルＭＯＳトランジスタＴ２、第２抵抗として抵抗Ｒ２、及びコンパレータ回路４５を備えている。
【００７８】
第３及び第４インバータ回路ＩＮＶ３，ＩＮＶ４の電源端子は、それぞれ高電位側電源電圧ＶＤＤと低電位電源電圧（本実施形態ではグランド）に接続されている。
第３インバータ回路ＩＮＶ３は、異常検出部３５ａからＨレベルの第１異常停止信号ＳＧ３が入力されるようになっている。第３インバータ回路ＩＮＶ３は、Ｈレベルの第１異常停止信号ＳＧ３を入力すると、該第１異常停止信号ＳＧ３を第４インバータ回路ＩＮＶ４を介して電流制御回路４４に出力する。
【００７９】
電流制御回路４４は第１異常停止信号ＳＧ３を入力すると、この第１異常停止信号ＳＧ３に応答してＰチャネルＭＯＳトランジスタＴ２のゲートの電圧を制御し、ＰチャネルＭＯＳトランジスタＴ２のドレイン電流が流れないように制御する。つまり、ＰチャネルＭＯＳトランジスタＴ２がオフするゲート電圧を入力する。
【００８０】
そして、ＰチャネルＭＯＳトランジスタＴ２はオフして抵抗Ｒ２に電流が流れず、第２ノードＮ２の電位を、高電位側電源電圧ＶＤＤ２（Ｈレベル）からグランドレベル（Ｌレベル）に下げる。グランドレベル（Ｌレベル）に下げられた第２ノードＮ２の電位が、異常報知信号ＳＧ１として第２及び第３電源供給装置１２，１３に出力される。
【００８１】
一方、第２ノードＮ２は、コンパレータ回路４５のマイナス側入力端子に接続されている。コンパレータ回路４５は、プラス側入力端子に基準電圧Ｖｒｅｆ２（本実施形態では０．５Ｖ）を入力する。
【００８２】
そして、コンパレータ回路４５は、第２ノードＮ２の電位と基準電圧Ｖｒｅｆ２（本実施形態では０．５Ｖ）とを比較し、第２ノードＮ２の電位基準電圧Ｖｒｅｆ２（本実施形態では０．５Ｖ）以下に下がった時、Ｈレベルの第２異常停止信号ＳＧ４を出力部３７ａに出力する。
【００８３】
従って、異常時制御部３６ａは、第1異常停止信号ＳＧ３が入力されると、異常報知信号ＳＧ１及び第２異常停止信号ＳＧ４が生成され出力される。
一方、第２及び第３電源供給装置１２，１３からＬレベルの異常報知信号ＳＧ１が異常時制御部３６ａに入力されると、コンパレータ回路４５は、Ｌレベルの異常報知信号ＳＧ１と基準電圧Ｖｒｅｆ２とを比較し、Ｈレベルの第２異常停止信号ＳＧ４を出力部３７ａに出力する。従って、異常時制御部３６ａは、第２及び第３電源供給装置１２，１３から異常報知信号ＳＧ１が入力されると、第２異常停止信号ＳＧ４が生成される出力部３７ａに出力する。
【００８４】
そのため、異常時制御部３６ａの素子が少なく構成され、第１〜第３電源供給装置１１〜１３を搭載する半導体装置の面積が小さくなるため、実装面積を小さくすることが可能となる。また、電流制御回路４４がＰチャネルＭＯＳトランジスタＴ２のドレイン電流を制御して異常報知信号を制御しているため、異常報知信号ＳＧ１の電圧を容易に調整することが可能となる。
【００８５】
・上記実施形態において、第１〜第３電源供給装置１１〜１３は、第１〜第３負荷２１〜２３への第１〜第３出力電圧ＶＯＵＴ１〜ＶＯＵＴ３の供給停止から出力異常が解消すると正常動作に復帰している。しかしながら、異常報知信号ＳＧ１、第１又は第２異常停止信号ＳＧ３，ＳＧ４のいずれかをラッチし、第１〜第３負荷２１〜２３への第１〜第３出力電圧ＶＯＵＴ１〜ＶＯＵＴ３の供給停止の状態を保持してもよい。
【００８６】
これに加え、第１〜第３電源供給装置１１〜１３の第１〜第３負荷２１〜２３に対する電圧の供給停止から正常動作への復帰は、ラッチをリセットする信号で制御してもよく、また、電源供給システム１０の高電位側電源電圧ＶＤＤ再投入により行ってもよい。
【００８７】
・上記実施形態において、第１〜第３電源供給装置１１〜１３は、第１〜第３外部電源３１〜３３から第１〜第３電源電圧ＶＩＮ１〜ＶＩＮ３を供給されている。しかしながら、一つの外部電源から供給されてもよく、また、第１〜第３電源供給装置１１〜１３と第１〜第３外部電源３１〜３３は、どのように組み合わせてもよい。
【００８８】
・上記実施形態において、第１〜第３電源供給装置１１〜１３は、制御端子Ｐ４〜Ｐ６が第１〜第３外部電源３１〜３３に接続され、第１〜第３電源電圧ＶＩＮ１〜ＶＩＮ３を制御信号Ｓ１として入力している。しかしながら、この制御信号Ｓ１は、第１〜第３電源供給装置１１〜１３を制御するコントローラや外部から入力される制御信号Ｓ１を用いてもよい。
【図面の簡単な説明】
【００８９】
【図１】電源供給システムの概略構成図である。
【図２】電源供給システムのブロック図である。
【図３】出力端子の異常発生時の動作を示す波形図である。
【図４】異常時制御部のブロック図である。
【図５】異常時制御部のブロック図である。
【図６】従来の電源供給システムの概略構成図である。
【図７】従来の電源供給システムの概略構成図である。
【符号の説明】
【００９０】
電源供給システム１０
電源供給装置  １１〜１３
出力端子  Ｐ７〜Ｐ９
異常検出部  ３５ａ〜３５ｃ
異常時制御部  ３６ａ〜３６ｃ
出力部  ３７ａ〜３７ｃ
異常報知信号  ＳＧ１
第１異常停止信号  ＳＧ３
第２異常停止信号  ＳＧ４
低電位側電源電圧  ＧＮＤ
高電位側電源電圧  ＶＤＤ
第１抵抗  Ｒ１
第２抵抗  Ｒ２
ＮチャネルＭＯＳトランジスタ  Ｔ１
ＰチャネルＭＯＳトランジスタ  Ｔ２
第１ノード  Ｎ１
第２ノード  Ｎ２
【図１】
2010011652.tif 000003
【図２】
2010011652.tif 000004
【図３】
2010011652.tif 000005
【図４】
2010011652.tif 000006
【図５】
2010011652.tif 000007
【図６】
2010011652.tif 000008
【図７】
2010011652.tif 000009